(57)【要約】【課題】光源の端部側や相互間部を確実に明るく照らし、かごの天井部の全体の明るさを均一化して光むらを解消し、かご内の照明に関する意匠性を高めることができるエレベータの照明装置を提供する。【解決手段】エレベータのかご１と、かご１の天井部４に設けられたかご内照明用の主光源としての複数の蛍光ランプ１０と、蛍光ランプ１０の端部周辺部に光を放射することが可能な補助光源としての発光ダイオード２０とを具備する。発光ダイオード２０は、蛍光ランプ１０を支持するソケット１１に設けられ、これら発光ダイオード２０の点灯により暗がりとなりやすい蛍光ランプ１０の端部側や相互間部が明るく照らされ、天井部４の全体がほぼ均等な明るさとなり、照明板に光むらがほとんど生じることがなく、したがってかご１内の照明に関する意匠性が向上する。【選択図】    図２
2011153023.tif 000002
【特許請求の範囲】
【請求項１】
エレベータのかごと、
前記かごの天井部に設けられたかご内照明用の主光源と、
前記主光源を支持するソケットに設けられ、その主光源の端部周辺部に光を放射することが可能な補助光源と、
を具備することを特徴とするエレベータの照明装置。
【請求項２】
エレベータのかごと、
前記かごの天井部に並んで設けられたかご内照明用の複数の主光源と、
前記複数の主光源の相互間部分に配置され、その相互間部分に光を放射することが可能な補助光源と、
を具備することを特徴とするエレベータの照明装置。
【請求項３】
前記主光源は蛍光ランプであり、前記補助光源は発光ダイオードであることを特徴とする請求項１又は２に記載のエレベータの照明装置。
【請求項４】
前記補助光源としての発光ダイオードは、熱伝導性に優れる金属材料からなるホルダに取り付けられて光源ユニットとして構成され、この光源ユニットがかごの天井部に取り付けられていることを特徴とする請求項２に記載のエレベータの照明装置。
【請求項５】
前記光源ユニットのホルダは、一対の板材を互いに回動可能に連結してヒンジ構造に構成され、その各板材にそれぞれ発光ダイオードが取り付けられていることを特徴とする請求項４に記載のエレベータの照明装置。
【発明の詳細な説明】
【技術分野】
【０００１】
この発明は、エレベータのかご内を照明する照明装置に関する。
【背景技術】
【０００２】
エレベータのかごの天井部には、照明箱が取り付けられている。照明箱は下面に大きな開口部を有し、この開口部に光透過性を有する合成樹脂製の照明板が設けられている。天井部の下面には、照明板を照光する光源として例えば直管型の蛍光ランプがソケットを介して複数列に取り付けられ、これら蛍光ランプにより照明板が照光され、その光がかご内に拡散してかご内が照明される。
【０００３】
ところで、かご内の意匠性はそのかご内を照らす照明効果に依存するところが大きく、その点で照明板をむらなく照光することが重要となる。
【０００４】
従来においては、複数の蛍光ランプを二列に均等的に並列させることが多いが、各蛍光ランプの端部側の周辺部や蛍光ランプの相互間部には光がとどきにくく、このためその蛍光ランプの端部側の周辺部や蛍光ランプの相互間部は他の部分に比べて薄暗くなる。すなわち、天井部の全体に対して局部的な暗がり部分が生じ、この結果、照明板の全体に映る光の明るさがまばらとなる光むらが生じ、かご内の照明に関しての意匠性が低下する。
【０００５】
蛍光ランプの本数を増して天井部の下面側に多数の蛍光ランプを緻密に配設すれば、光むらを抑えることができるが、しかしこのような手段では蛍光ランプにかかるコストおよびその消費電力が増大し、コストアップにつながってしまう。
【０００６】
そこで、特開２００５−１３２６２０公報（特許文献１）では、かごの天井部に、直管型の蛍光ランプを、ちどり状に交互に位置をずらして行および列方向に並ぶように配設するとともに、蛍光ランプが配置しない各空白部に反射部材を設け、これら反射部材によりその空白部の側方部に配置する蛍光ランプの側部から出射される光をその蛍光ランプの端部側に向けて反射させることで、その端部側や蛍光ランプの相互間部が薄暗くなるのを防止して天井部の明るさを均一化するようにしている。
【先行技術文献】
【特許文献】
【０００７】
【特許文献１】特開２００５−１３２６２０号公報
【発明の概要】
【発明が解決しようとする課題】
【０００８】
特許文献１のように、蛍光ランプが配置しない空白部に反射部材を設け、その反射部材で蛍光ランプの端部側や相互間部に光を反射させれば、その部分をある程度明るくすることができるが、しかしながら反射による手段ではそれほど大きい光量を期待することができず、やはり蛍光ランプが配置する部分と比べれば薄暗くなりやすく、光むらを確実に解消することは困難である。
【０００９】
この発明はこのような点に着目してなされたもので、その目的とするところは、光源の端部側や相互間部を確実に明るく照らし、かごの天井部の全体の明るさを均一化して光むらを解消し、かご内の照明に関する意匠性を高めることができるエレベータの照明装置を提供することにある。
【課題を解決するための手段】
【００１０】
このような課題を解決するために、請求項１の発明は、エレベータのかごと、前記かごの天井部に設けられたかご内照明用の主光源と、前記主光源を支持するソケットに設けられ、その主光源の端部周辺部に光を放射することが可能な補助光源とを具備することを特徴としている。
【００１１】
請求項２の発明は、エレベータのかごと、前記かごの天井部に並んで設けられたかご内照明用の複数の主光源と、前記複数の主光源の相互間部分に配置され、その相互間部分に光を放射することが可能な補助光源とを具備することを特徴としている。
【００１２】
請求項３の発明は、前記主光源が蛍光ランプであり、前記補助光源が発光ダイオードであることを特徴としている。
【００１３】
請求項４の発明は、前記補助光源としての発光ダイオードが、熱伝導性に優れる金属材料からなるホルダに取り付けられて光源ユニットとして構成され、この光源ユニットがかごの天井部に取り付けられていることを特徴としている。
【００１４】
請求項５の発明は、前記光源ユニットのホルダが、一対の板材を互いに回動可能に連結してヒンジ構造に構成され、その各板材にそれぞれ発光ダイオードが取り付けられていることを特徴としている。
【発明の効果】
【００１５】
この発明によれば、主光源の端部側や相互間部を確実に明るく照らし、かごの天井部の全体の明るさを均一化して光むらを解消し、かご内の照明に関する意匠性を高めることができる。
【図面の簡単な説明】
【００１６】
【図１】この発明の第１の実施形態に係る照明装置を備えるかごの構成図。
【図２】そのかごの天井部を下から見た平面図。
【図３】そのかごの天井部における要部の拡大側面図。
【図４】この発明の第２の実施形態に係る照明装置を備えるかごの天井部を下から見た平面図。
【図５】そのかごの天井部における要部の拡大側面図。
【図６】そのかごの天井部に設けられる光源ユニットの斜視図。
【図７】この発明の第３の実施形態に係る照明装置を備えるかごの天井部を下から見た平面図。
【発明を実施するための形態】
【００１７】
以下、この発明の実施の形態について図面を参照して説明する。
【００１８】
図１〜図３にはこの発明の第１の実施形態を示してある。図１にはエレベータのかご１内の構成を示してある。かご１は、床部２と、この床部２の上の四方を囲む側板部３と、この側板部３の上端部に設置された天井部４とを備えている。
【００１９】
天井部４の下面には照明箱５が取り付けられ、この照明箱５は下面に大きな開口部６を有し、この開口部６に光透過性を有する合成樹脂で形成された照明板７が設けられている。天井部４の下面には、かご１内の照明用の主光源として複数の直管形の蛍光ランプ１０がそれぞれソケット１１を介して均等的に並ぶように取り付けられ、これら蛍光ランプ１０により照明板７が照光され、その光がかご１内に拡散してかご１内が照明される。
【００２０】
かご１の正面には出入口１５が形成され、この出入口１５にその開閉用のドア１６ａ，１６ｂが設けられている。また、１７は出入口１５の上部側に設けられた幕板で、１８は側板部３の下部に設けられた巾木である。
【００２１】
主光源としての複数の蛍光ランプ１０は、図２に示すように、ちどり状に交互に位置をずらして行方向および列方向に縦横に並ぶようにかご１の天井部４の下面に配設されている。天井部４の下面の列方向の第１列目、第３列目、第５列目にあっては、その列方向に並ぶ蛍光ランプ１０の端部相互間が蛍光ランプ１０の配置しない空白部Ａで、第２列目、第４列目にあっては、その列方向に沿って延びる蛍光ランプ１０の両端部側が蛍光ランプ１０の配置しない空白部Ｂとなっている。
【００２２】
各蛍光ランプ１０の両端部を支持したソケット１１のうちの前記空白部Ａ、Ｂに対向するソケット１１には、それぞれ補助光源としての発光ダイオード（以下、ＬＥＤという。）２０が取り付けられている。
【００２３】
図３（イ）には図２における空白部Ａの部分の拡大側面図を、図３（ロ）には図２における空白部Ｂの部分の拡大側面図をそれぞれ示してある。ソケット１１はその外面側端面にかご１の側方に向く垂直面１１ａとかご１の斜め下方に向く傾斜面１１ｂとを有し、ＬＥＤ２０は空白部Ａ及びＢに対向するソケット１１の垂直面１１ａと傾斜面１１ｂとに取り付けられている。
【００２４】
なお、前記各蛍光ランプ１０及び各ＬＥＤ２０はリード線（図示せず）を介して所定の電源回路に接続されていることは言うまでもない。また、各ＬＥＤ２０は、その発光色が蛍光ランプ１０と同じ白色や昼間色のものを採用する。しかし、他の発光色のＬＥＤ２０を用いることも可能である。さらに、調色可能なＬＥＤ２０を用いることも可能である。
【００２５】
このような構成において、エレベータの運転時には、各蛍光ランプ１０および各ＬＥＤ２０が点灯され、主として蛍光ランプ１０による光でかご１内が照明される。そして、空白部Ａにおいては、ＬＥＤ２０の点灯による光が、互いに対向するソケット１１の相互間、つまり一方の蛍光ランプ１０の端部と他方の蛍光ランプ１０の端部との相互間部に放射され、その相互間部が明るく照らされる。
【００２６】
ソケット１１の垂直面１１ａに取り付けられたＬＥＤ２０の光は主としてソケット１１の端面側方を照らし、傾斜面１１ｂに取り付けられたＬＥＤ２０はソケット１１の斜め下方を照らし、したがって互いに対向するソケット１１の相互間の全体が明るく均等に照らされる。
【００２７】
また、空白部Ｂにおいては、ＬＥＤ２０の点灯による光が、ソケット１１の端面外方側の周辺部、つまり蛍光ランプ１０の端部周辺部に放射され、その周辺部が明るく照らされる。ソケット１１の垂直面１１ａに取り付けられたＬＥＤ２０の光は主としてソケット１１の端面側方を照らし、傾斜面１１ｂに取り付けられたＬＥＤ２０はソケット１１の斜め下方を照らし、したがって蛍光ランプ１０の端部周辺部の全体が明るく均等に照らされる。
【００２８】
前述したように、各蛍光ランプ１０の端部相互間部や端部周辺部つまり空白部Ａ，Ｂは暗がりとなりやすいが、本実施形態によれば、その端部相互間部や端部周辺部がＬＥＤ２０で明るく照らされるため、天井部４の全体がほぼ均等な明るさとなり、照明板７に光むらがほとんど生じることがなく、したがってかご１内の照明に関する意匠性を高めることができる。
【００２９】
図４〜図６には第２の実施形態を示してある。なお、前記第１の実施形態と同一の構成部分には同一の符号を付して重複する説明を省略する。
【００３０】
この第２の実施形態においては、図４に示すように、かご１の天井部４における空白部Ａ、Ｂにそれぞれ光源ユニット２５が設けられている。この光源ユニット２５は、図５及び図６に示すように、ホルダ２６と、このホルダ２６に取り付けられた補助光源としてのＬＥＤ２７とからなる。
【００３１】
ホルダ２６は、一対の板材２６ａの一側縁相互をピン２８を介して回動可能に連結してヒンジ構造に構成してなり、その各板材２６ａの表面にそれぞれＬＥＤ２７が取り付けられている。また、各板材２６ａの他側縁にはそれぞれ舌片状の取付片２９が一体に突出形成されている。各板材２６ａは熱伝導性に優れる金属材料、例えばアルミニウムやアルミニウム合金などからなる。
これら光源ユニット２５は、各板材２６ａのＬＥＤ２７が下を向き、かつホルダ２６が下に凸となるＶ字状に屈曲する状態で、空白部Ａ、Ｂにおける天井部４の下面にビス３０を用いて取り付けられている。
【００３２】
この実施形態においては、暗がりとなりやすい天井部４の各空白部Ａ，Ｂが各光源ユニット２５のＬＥＤ２７により明るく照らされ、天井部４の全体がほぼ均等な明るさとなり、照明板７に光むらがほとんど生じることがなく、したがってかご１内の照明に関する意匠性が向上する。
【００３３】
ところで、補助光源としてのＬＥＤ２７は、点灯に応じて発熱し、その熱が寿命に大きく影響する。本実施形態では、各ＬＥＤ２７が熱伝導性に優れる金属材料つまりアルミニウムやアルミニウム合金などからなるホルダ２６に取り付けられており、このため各ＬＥＤ２７に生じる熱がホルダ２６を伝わって効率よく放散され、各ＬＥＤ２７の温度を低く抑えることができ、したがって各ＬＥＤ２７の寿命の低下を防止し、長期間に渡って所定の輝度で発光させることができる。
【００３４】
一般に、かごの天井部４には換気用のファンが設けられ、そのファンによりかご内に空気が送風されるが、ＬＥＤ２７の冷却を考慮するならば、光源ユニット２５をそのファンの送風通路上に取り付けることが好ましい。これによれば、光源ユニット２５の各ＬＥＤ２７の温度上昇をより効率的に抑えてその長寿命化を図ることができる。
【００３５】
また、本実施形態では、複数のＬＥＤ２７をホルダ２６に取り付けて単一部品の光源ユニット２５として構成してあり、このため既設のエレベータのかごにおいて、単にそのかごの天井部４に光源ユニット２５を取り付けて配線するだけで、既設のかごの照明に関する改修を容易に能率よく行なうことができる。
【００３６】
そして、ホルダ２６が一対の板材２６ａからなるヒンジ構造に構成されているから、その一対の板材２６ａの拡開角度を変えることで、狭い設置面積の部分であっても取り付けることができ、またその一対の板材２６ａの拡開角度を変えることで、各ＬＥＤ２７の光の放射方向を調整することもできる。
【００３７】
図７には第３の実施形態を示してある。なお、前記第１の実施形態と同一の構成部分には同一の符号を付して重複する説明を省略する。
【００３８】
この第３の実施形態においては、かご内の照明用の主光源として複数の環形の蛍光ランプ１０が例えば縦横に並ぶ均等的な４箇所に取り付けられている。このようなランプ配置構造においても、その隣り合う蛍光ランプ１０の相互間が暗くなりやすい。
【００３９】
そこで、本実施形態では、各蛍光ランプ１０の互いに隣り合う相互間の部分において、天井部４に補助光源としてＬＥＤ３３を取り付け、そのＬＥＤ３３で暗くなりやすい各蛍光ランプ１０の相互間の部分を明るく照らす構成となっている。なお、天井部４にはＬＥＤ３３の単体を取り付ける場合のほか、前記第２の実施形態の場合と同様の構成の光源ユニット２５を取り付けることも可能である。
【００４０】
このような構成においても、天井部４の全体をほぼ均等な明るさに保つことができ、照明板に光むらがほとんど生じることがなく、したがってかご内の照明に関する意匠性が向上する。
【符号の説明】
【００４１】
１…かご
４…天井部
５…照明箱
７…照明板
１０…蛍光ランプ（主光源）
１１…ソケット
２０…発光ダイオード(補助光源)
２５…光源ユニット
２６…ホルダ
２６ａ…板材
２７…発光ダイオード(補助光源)
３３…発光ダイオード(補助光源)
Ａ．Ｂ…空白部
【図１】
2011153023.tif 000003
【図２】
2011153023.tif 000004
【図３】
2011153023.tif 000005
【図４】
2011153023.tif 000006
【図５】
2011153023.tif 000007
【図６】
2011153023.tif 000008
【図７】
2011153023.tif 000009